【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  裂くことが可能な光ファイバリボンであって、
非円形表面を含む第１の縁部と、前記第１の縁部と反対側の第２の縁部とを含む第１のサブユニットリボンと、
非円形表面を含む第１の縁部と、前記第１の縁部と反対側の第２の縁部とを含む第２のサブユニットリボンであって、前記第２のサブユニットリボンの前記非円形表面が、前記第１のサブユニットリボンの前記非円形表面に向き合うように配置されている、第２のサブユニットリボンと、
前記第１および第２のサブユニットリボンを取り囲む第２のマトリックス材とを含む、裂くことが可能な光ファイバリボン。
【請求項２】  さらに、前記第１のサブユニットリボンが、平面内に整列され、前記第１のサブユニットリボンの第１の縁部から前記第１のサブユニットリボンの第２の縁部まで延びる複数の光ファイバと、前記複数の光ファイバを取り囲む第１のマトリックス材とを含む請求項１に記載の裂くことが可能な光ファイバリボン。
【請求項３】  さらに、前記第２のサブユニットリボンが、平面内に整列され、前記第２のサブユニットリボンの第１の縁部から前記第２のサブユニットリボンの第２の縁部まで延びる複数の光ファイバと、前記第２のサブユニットリボンの前記複数の光ファイバを取り囲むマトリックス材とを含む請求項２に記載の裂くことが可能な光ファイバリボン。
【請求項４】  前記第１のサブユニットリボンの光ファイバの数が、前記第２のサブユニットリボンの光ファイバの数と同じである請求項３に記載の裂くことが可能な光ファイバリボン。
【請求項５】  前記第１のサブユニットリボンの前記非円形表面が、ほぼ平坦であり、前記第１のサブユニットリボンの前記光ファイバが配置されている平面とほぼ垂直である請求項２に記載の裂くことが可能な光ファイバリボン。
【請求項６】  前記第１のサブユニットリボンの第２の端部が、非円形表面を含む請求項５に記載の裂くことが可能な光ファイバリボン。
【請求項７】  前記第１のサブユニットリボンの第２の縁部の非円形表面が、ほぼ平坦であり、前記第１のサブユニットリボンの第１の縁部の非円形表面とほぼ平行である請求項６に記載の裂くことが可能な光ファイバリボン。
【請求項８】  前記第１のサブユニットリボンの非円形表面が、ほぼ平坦であり、前記第１のサブユニットリボンの前記光ファイバが配置されている平面に対して斜めである請求項２に記載の裂くことが可能な光ファイバリボン。
【請求項９】  前記第１のサブユニットリボンの第２の端部が、非円形表面を含む請求項８に記載の裂くことが可能な光ファイバリボン。
【請求項１０】  前記第１のサブユニットリボンの第２の縁部の非円形表面が、ほぼ平坦であり、前記第１のサブユニットリボンの第１の縁部の非円形表面とほぼ平行である請求項９に記載の裂くことが可能な光ファイバリボン。
【請求項１１】  前記第１のサブユニットリボンの非円形表面が、ほぼ平坦であり、前記第１のサブユニットリボンの前記非円形表面に当接する請求項８に記載の裂くことが可能な光ファイバリボン。
【請求項１２】  前記第１のサブユニットリボンの前記第１の縁部が、前記第１のサブユニットリボンの非円形表面から前記第２のサブユニットリボンに向かって延びた少なくとも１つの突出部をさらに含む請求項１に記載の裂くことが可能な光ファイバリボン。
【請求項１３】  前記第１のサブユニットリボンの非円形表面が、前記第２のサブユニットリボンの非円形表面と相補形である請求項１に記載の裂くことが可能な光ファイバリボン。
【請求項１４】  前記第１のサブユニットリボンの第２の縁部が丸い請求項１に記載の裂くことが可能な光ファイバリボン。
【請求項１５】  前記第２のサブユニットリボンの第２の縁部が丸い請求項１４に記載の裂くことが可能な光ファイバリボン。
【請求項１６】  裂くことが可能な光ファイバリボンであって、
各々が第１の縁部および前記第１の縁部と反対側の第２の縁部を含み、少なくとも前記第１の縁部が非円形表面を含む、複数のサブユニットリボンと、
前記複数のサブユニットリボンを取り囲む第２のマトリックス材とを含み、
少なくとも２つの前記サブユニットリボンが、互いに向き合うそれぞれの非円形表面を有する裂くことが可能な光ファイバリボン。
【請求項１７】  前記サブユニットリボンそれぞれが、平面内に整列され、前記第１の縁部から前記第２の縁部まで延びる複数の光ファイバと、前記複数の光ファイバを取り囲む第１のマトリックス材とを含む請求項１６に記載の裂くことが可能な光ファイバリボン。
【請求項１８】  各サブユニットリボンの光ファイバの数が、他の各サブユニットリボンの光ファイバの数と同じである請求項１７に記載の裂くことが可能な光ファイバリボン。
【請求項１９】  前記複数のサブユニットリボンが、２つの端部のサブユニットリボンと少なくとも１つの中央サブユニットリボンとを含むように、縁部をそろえて整列した少なくとも３つのサブユニットリボンを含み、前記少なくとも１つの中央サブユニットリボンが、中央サブユニットリボンの第１および第２の縁部の各々に非円形表面を含む請求項１６に記載の裂くことが可能な光ファイバリボン。
【請求項２０】  前記２つの端部のサブユニットリボンの少なくとも１つが、端部のサブユニットリボンの第１および第２の縁部に非円形表面を含む請求項１９に記載の裂くことが可能な光ファイバリボン。
【請求項２１】  前記２つの端部のサブユニットリボンの少なくとも１つが、端部のサブユニットリボンの第２の縁部に丸い表面を含む請求項１９に記載の裂くことが可能な光ファイバリボン。
【請求項２２】  互いに対向する非円形表面を有する前記少なくとも２つのサブユニットリボンが、サブユニットリボンの非円形表面が互いに当接するように配置される請求項１６に記載の裂くことが可能な光ファイバリボン。
【請求項２３】  裂くことが可能な光ファイバリボンであって、
凹状の円形表面を含む第１の縁部と、前記第１の縁部と反対側の第２の縁部とを含む第１のサブユニットリボンと、
凸状の円形表面を含む第１の縁部と、前記第１の縁部と反対側の第２の縁部を含む第２のサブユニットリボンとを含み、
前記第２のサブユニットリボンの前記凸状の円形表面が、前記第１のサブユニットリボンの前記凹状の円形表面に隣接して相補形に配置され、第２のマトリックス材が、前記第１および第２のサブユニットリボンを取り囲む、裂くことが可能な光ファイバリボン。
【請求項２４】  前記第１のサブユニットリボンが、平面内に整列され、前記第１のサブユニットリボンの第１の縁部から前記第１のサブユニットリボンの第２の縁部まで延びる複数の光ファイバと、前記複数の光ファイバを取り囲むマトリックス材とを含む請求項２３に記載の裂き取り可能な光ファイバリボン。
【請求項２５】  前記第２のサブユニットリボンが、平面内に整列され、前記第２のサブユニットリボンの第１の縁部から前記第２のサブユニットリボンの第２の縁部まで延びる複数の光ファイバと、前記第２のサブユニットリボンの前記複数の光ファイバを取り囲むマトリックス材とを含む請求項２４に記載の裂くことが可能な光ファイバリボン。
【請求項２６】  前記第１のサブユニットリボンの光ファイバの数が、前記第２のサブユニットリボンの光ファイバの数と同じである請求項２５に記載の裂くことが可能な光ファイバリボン。
【請求項２７】  複数のサブユニットリボンを製造するダイであって、
複数の空洞を含み、少なくとも２つの隣接する空洞が、相補形の隣接する縁部を含む、複数のサブユニットリボンを製造するダイ。
【請求項２８】  二重埋込み光ファイバリボンを作成する方法であって、
各々が第１の縁部および前記第１の縁部と反対側の第２の縁部を含み、少なくとも前記第１の縁部が非円形表面を含む、複数のサブユニットリボンを形成するステップと、
前記サブユニットリボンの少なくとも２つを整列させて、それぞれの非円形表面が互いに対向するようにするステップと、
前記複数のサブユニットリボンを封入するように、前記複数のサブユニットリボンの周囲に第２のマトリックス材を配置するステップと、
前記第２のマトリックス材を硬化させるステップとを含む、二重埋込み光ファイバリボンを作成する方法。